(57)【要約】【課題】本発明は、コントラストが高い２色表示、および明るく鮮やかなカラー表示が可能な画像表示媒体および画像表示装置を実現することを目的とする。【解決手段】表示基板１８と背面基板２８間に透光性を有する分散液２４を封入すると共に、当該基板間に形成される電界に応じて移動する、色と帯電特性の異なる２種類の移動粒子３２（黄色粒子３２Ｙ及び黒色粒子３２Ｋ）を封入する。また、黄色粒子３２Ｙと同じ色に着色されると共に、移動粒子３２が移動可能な空隙を有する大径着色粒子３４を基板間に封入する。そして、制御部４２が電圧印加部４０を制御することによって基板間で電圧を印加することにより移動粒子３２を移動させて色表示する。【選択図】図１
2008089971.tif 000002
【特許請求の範囲】
【請求項１】
少なくとも一方が透光性を有する一対の基板と、
前記基板間に封入される透光性を有する液体と、
前記基板間に封入され、当該基板間に形成される電界に応じて移動する、色と帯電特性の異なる２種類の移動粒子と、
前記基板間に封入され、前記２種類の移動粒子の一方の移動粒子と同じ色に着色されてなると共に、前記移動粒子が移動可能な空隙を有する着色部材と、
を備えた画像表示媒体。
【請求項２】
前記一方の移動粒子及び前記着色部材が、白色に着色されてなることを特徴とする請求項１に記載の画像表示媒体。
【請求項３】
前記基板間に封入され、当該基板間に形成される電界に応じて移動する、前記２種類の移動粒子と色と帯電特性が異なる第３の移動粒子を備えたことを特徴とする請求項１又は請求項２に記載の画像表示媒体。
【請求項４】
前記着色部材が、前記移動粒子よりも大きい着色粒子であることを特徴とする請求項１乃至請求項３の何れか１項に記載の画像表示媒体。
【請求項５】
前記着色部材が、前記移動粒子が移動可能な貫通孔を有する多孔質体であることを特徴とする請求項１乃至請求項３の何れか１項に記載の画像表示媒体。
【請求項６】
前記一対の基板のうち表示側に対応する基板にカラーフィルタを更に備えることを特徴とする請求項１乃至請求項５の何れか１項に記載の画像表示媒体。
【請求項７】
請求項１乃至請求項６の何れか１項に記載の画像表示媒体へ画像を表示させるための画像表示装置において、
前記一対の基板間に電圧を印加する電圧印加手段と、
画像情報に応じて前記電圧印加手段を制御する制御手段と、
を備えた画像表示装置。
【請求項８】
請求項３に記載の画像表示媒体に画像を形成する装置において、
前記一対の基板間に電圧を印加する電圧印加手段と、
画像情報に応じて前記電圧印加手段を制御する制御手段と、
を備え、
前記移動粒子が、白色に着色され正に帯電した白色粒子と、黒色に着色され正に帯電した黒色粒子と、白色及び黒色とは異なる所定色に着色され正に帯電した所定色粒子と、からなると共に、所定色粒子を移動させるために必要な電圧の絶対値、黒色粒子を移動させるために必要な電圧の絶対値、白色粒子を移動させるために必要な電圧の絶対値の順の大きさとなるように、前記移動粒子の帯電特性が設定されている場合に、
前記制御手段が、所定色粒子を移動させるために必要な負の電圧を印加するように前記電圧印加手段を制御した後に、前記白色粒子を移動させるために必要な正の電圧を印加するように前記電圧印加手段を制御することで白色を表示し、前記所定色粒子を移動させるために必要な負の電圧を印加するように前記電圧印加制御した後に、前記黒色粒子を移動させるために必要な正の電圧を印加し、更に前記白色粒子を移動させるために必要な負の電圧を印加するように前記電圧印加手段を制御することで黒色を表示し、前記所定色粒子を移動させるために必要な正の電圧を印加するように前記電圧印加手段を制御した後に、前記黒色粒子を移動させるために必要な負の電圧を印加するように前記電圧印加手段を制御することで、所定色を表示することを特徴とする画像表示装置。
【発明の詳細な説明】
【技術分野】
【０００１】
本発明は、画像表示媒体及び画像表示装置に関する。
【背景技術】
【０００２】
従来、メモリ性を有し繰り返し書換えが可能な画像表示媒体として、着色粒子を用いた画像表示媒体が知られている。このような画像表示媒体は、例えば一対の基板と、印加された電界により基板間を移動可能に基板間に封入されると共に、色及び帯電特性が異なる複数種類の粒子群と、を含んで構成される。また、基板間には、粒子が基板内の一部の領域に偏るのを防ぐため等の理由により、基板間を複数のセルに仕切るための間隙部材が設けられる場合もある。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワールス力や鏡像力によって粒子は基板に付着したままとなり、画像表示は維持される。
【０００４】
例えば、このような画像表示媒体としては、特許文献１〜３に記載の技術が提案されている。
【０００５】
特許文献１に記載の技術では、基板間に大径の着色球状体を固定配置して、着色球状体の隙間を通して微小着色粒子を移動させ、微小着色粒子を表示基板側に移動させることで微小着色粒子の色を表示し、微小着色粒子を背面基板側に移動させることで、着色球状体の移動を表示することが提案されている。
【０００６】
特許文献２に記載の技術では、基板間に着色多孔質部材を固定配置して、着色多孔質部材の孔を通して、着色多孔質部材とは異なる色の微小着色粒子を移動させ、微小着色粒子を表示基板側に移動させることにより微小着色粒子の色を表示し、微小着色粒子を背面基板側に移動させることにより着色多孔質部材の色を表示することが提案されている。
【０００７】
特許文献３に記載の技術では、着色粒子と背面基板の色によって表示を行うことが提案されている。詳細には、着色粒子を背面基板側に上に一様に配置させることで着色粒子の色を表示し、着色粒子を基板面とは水平方向に移動させて背面基板上の一部に集合させることで背面基板の色を表示することが提案されている。
【特許文献１】特開２００５−３２６５７０号公報
【特許文献２】特開２００５−１５６８０８号公報
【特許文献３】特開２００４−０１２８２９号公報
【発明の開示】
【発明が解決しようとする課題】
【０００８】
しかしながら、内部を粒子が通過する通過孔を有する着色球状体や着色多孔質物質を用いた構造では、これらの通過孔が色再現力の低下を生じさせていた。
【０００９】
そこで本発明は、発色特性が向上する画像表示媒体および画像表示装置を実現することを目的とする。
【課題を解決するための手段】
【００１０】
上記目的を達成するために請求項１に記載の発明は、少なくとも一方が透光性を有する一対の基板と、前記基板間に封入される透光性を有する液体と、前記基板間に封入され、当該基板間に形成される電界に応じて移動する、色と帯電特性の異なる２種類の移動粒子と、前記基板間に封入され、前記２種類の移動粒子の一方の移動粒子と同じ色に着色されてなると共に、前記移動粒子が移動可能な空隙を有する着色部材と、を備えることを特徴としている。
【００１１】
請求項２に記載の発明は、請求項１に記載の発明において、前記一方の移動粒子及び前記着色部材が、白色に着色されてなることを特徴ととしている。
【００１２】
請求項３に記載の発明は、請求項１又は請求項２に記載の発明において、前記基板間に封入され、当該基板間に形成される電界に応じて移動する、前記２種類の移動粒子と色と帯電特性が異なる第３の移動粒子を備えたことを特徴としている。
【００１３】
請求項４に記載の発明は、請求項１乃至請求項３の何れか１項に記載の発明において、前記着色部材が、前記移動粒子よりも大きい着色粒子であることを特徴としている。
【００１４】
請求項５に記載の発明は、請求項１乃至請求項３の何れか１項に記載の発明において、前記着色部材が、前記移動粒子が移動可能な貫通孔を有する多孔質体であることを特徴としている。
【００１５】
請求項６に記載の発明は、請求項１乃至請求項５の何れか１項に記載の発明において、前記一対の基板のうち表示側に対応する基板にカラーフィルタを更に備えることを特徴としている。
【００１６】
請求項７に記載の発明は請求項１乃至請求項６の何れか１項に記載の画像表示媒体へ画像を表示させるための画像表示装置において、前記一対の基板間に電圧を印加する電圧印加手段と、画像情報に応じて前記電圧印加手段を制御する制御手段と、を備えることを特徴としている。
【００１７】
請求項８に記載の発明は、請求項３に記載の画像表示媒体に画像を形成する装置において、前記一対の基板間に電圧を印加する電圧印加手段と、画像情報に応じて前記電圧印加手段を制御する制御手段と、を備え、前記移動粒子が、白色に着色され正に帯電した白色粒子と、黒色に着色され正に帯電した黒色粒子と、白色及び黒色とは異なる所定色に着色され正に帯電した所定色粒子と、からなると共に、所定色粒子を移動させるために必要な電圧の絶対値、黒色粒子を移動させるために必要な電圧の絶対値、白色粒子を移動させるために必要な電圧の絶対値の順の大きさとなるように、前記移動粒子の帯電特性が設定されている場合に、前記制御手段が、所定色粒子を移動させるために必要な負の電圧を印加するように前記電圧印加手段を制御した後に、前記白色粒子を移動させるために必要な正の電圧を印加するように前記電圧印加手段を制御することで白色を表示し、前記所定色粒子を移動させるために必要な負の電圧を印加するように前記電圧印加制御した後に、前記黒色粒子を移動させるために必要な正の電圧を印加し、更に前記白色粒子を移動させるために必要な負の電圧を印加するように前記電圧印加手段を制御することで黒色を表示し、前記所定色粒子を移動させるために必要な正の電圧を印加するように前記電圧印加手段を制御した後に、前記黒色粒子を移動させるために必要な負の電圧を印加するように前記電圧印加手段を制御することで、所定色を表示することを特徴としている。
【発明の効果】
【００１８】
請求項１に記載の発明によれば、２種類以上の移動粒子の一方の移動粒子と同じ色に着色された着色部材によって、当該色の発色特性を向上することができる。
【００１９】
請求項２に記載の発明によれば、白色度を向上することができる。
【００２０】
請求項３に記載の発明によれば、当該色の発色特性を向上することができる。
【００２１】
請求項４に記載の発明によれば、着色粒子間の空隙を移動粒子が移動することが可能となる。
【００２２】
請求項５に記載の発明によれば、多孔質体の貫通孔を移動粒子が移動することが可能となる。
【００２３】
請求項６に記載の発明によれば、カラーフィルタを設ける構造であっても発色特性を向上することができる。
【００２４】
請求項７に記載の発明によれば、それぞれ異なる色に着色された移動粒子を移動することができ、これによって、発色特性を向上した画像を表示することができる。
【００２５】
請求項８に記載の発明によれば、白色、黒色、及び所定色の何れかを表示することができる。
【発明を実施するための最良の形態】
【００２６】
以下、図面を参照して本発明の実施の形態の一例を詳細に説明する。なお、実質的に同一の機能を有する部材については、全図面通して同一符号を付して、重複する説明を省略する場合がある。
（第１実施形態）
図１は、本発明の第１実施形態に係わる画像表示装置を示す概略構成図である。なお、図１は、黄色表示している図である。
【００２７】
本発明の第１実施形態に係わる画像表示装置１０は、図１に示すように、透明電極１６及び表面層１７が透明な支持基板１４上に積層して形成された表示基板１８と、表示基板１８と間隙を持って対向して配置され、電極２２及び表面層２０が支持基板２６上に積層して形成された背面基板２８と、で構成された画像表示媒体１２を有している。
【００２８】
また、表示基板１８と背面基板２８との間には、移動粒子３２（黒色粒子３２Ｋ及び黄色粒子３２Ｙ）と、透光性を有する分散液２４（透明液体）が封入され、これらは基板間に形成される電界によって基板間を電気泳動する。２種類の移動粒子３２は、それぞれ異なる帯電特性とされており、例えば、黒色粒子３２Ｋが正又は負に帯電され、黄色粒子３２Ｙが黒色粒子とは異なる極性に帯電される。
【００２９】
黒色粒子３２Ｋは、カーボンブラック、マンガンフェライトブラック、チタンブラック等の黒色顔料粒子やこれらを内包した樹脂粒子を使用することができ、黄色粒子３２Ｙは、所望の色の顔料粒子や、あるいは所望の色の顔料や染料を内含した樹脂粒子を使用することができる。顔料や染料は、例えば、印刷インキやカラートナーに使用されている一般的な顔料あるいは染料を使用できる。
【００３０】
移動粒子３２（黒色粒子３２Ｋ及び黄色粒子３２Ｙ）は、その体積平均粒径が、一般的には、０．０１μｍ〜１０μｍであり、好ましくは０．０３μｍ〜３μｍであるが、これに限定されものではない。着色粒子３２の体積平均粒径が上記範囲より小さいと、移動粒子３２の帯電量が小さくなり、分散液２４中を移動する速度が遅くなることがある。つまり表示応答性が低下することがある。反対に移動粒子３２の体積平均粒径が上記範囲より大きいと、追従性はよいが、自重による沈殿やメモリ性の低下が発生し易くなることがある。
【００３１】
透光性を有する分散液２４としては、絶縁特性を有する無色透明な液体が好ましく、例えばシリコン、トルエン、キシレンや、インパラフィン、ノルマルパラフィン等の炭化水素系溶媒が使用できる。
【００３２】
また、透明電極１６及び電極２２は、それぞれ電圧印加部４０に接続されている。すなわち、電圧印加部４０によって透明電極１６及び電極２２に電圧を印加することによって、基板間に電界が形成される。なお、透明電極１６及び電極２２は、基板間に所望の電界を形成できればよく、各々表示基板１８および背面基板２８と分離させ、画像表示媒体１２の外部に配置してもよい。
【００３３】
電圧印加部４０は、制御部４２に接続されており、制御部４２には画像記憶部４４が接続されている。
【００３４】
制御部４２は、画像記憶部４４から入力される画像情報に応じて電圧印加部４０の電圧を制御するもので、例えばＣＰＵ、ＲＯＭ、ＲＡＭ、ハードディスク等を備えて構成され、ＣＰＵは、ＲＯＭやハードディスク等に記憶されているプログラムに従って画像表示媒体１２への画像表示を行う。画像記憶部４４は、例えばハードディスク等の記憶媒体を有するＰＣなどで構成され、画像表示媒体１２に画像を表示させるための表示用画像を記憶している。すなわち、画像記憶部４４に記憶された表示用画像に応じて制御部４２が電圧印加部４０を制御して基板間に電圧を印加することにより、電圧に応じて着色粒子３２が移動して画像が表示される。なお、画像記憶部４４に記憶される表示画像は、ＣＤ−ＲＯＭやＤＶＤ等の各種記録媒体やネットワークを介して画像記憶部４４に取り込んでもよい。
【００３５】
そして、本発明の第１実施形態に係わる画像表示装置１０において、画像表示媒体１２を構成する表示基板１８と背面基板２８との間には、着色部材として、黒色粒子３２Ｋ及び黄色粒子３２Ｙよりも大きな粒径の大径着色粒子３４が封入されている。移動粒子３２は、大径着色粒子３４同士により形成される間隙を通じて、基板間を移動できるようになっている。
【００３６】
大径着色粒子３４は、移動粒子３２のうちの何れかと同色とされ、本実施形態では、黄色に着色されている。
【００３７】
大径着色粒子３４は、移動粒子３２（黒色粒子３２Ｋ及び黄色粒子３２Ｙ）よりも大きい粒径のものが適用され、その粒子間間隙を通じて移動粒子舞うが移動可能であることが必要であることから、移動粒子３２（黒色粒子３２Ｋ及び黄色粒子３２Ｙ）よりも１０倍以上大きい粒径（好ましくは、２０倍以上大きい粒径）のものを適応することが好適である。但し、大径着色粒子３４は、基板間に封入させるため、基板間距離よりも小さい粒径とする。
【００３８】
ここで、大径着色粒子３４の大きさは、移動粒子３２の径が略均一である場合、当該移動粒子３２よりも１０倍以上の大きさでも良いが、移動粒子３２の径にばらつきがあり、大きめの移動粒子３２が含まれるような場合、２０倍以上の大きさであった方が移動粒子が大径着色粒子３４間に詰まることななくなる。
【００３９】
この粒径が小さすぎると移動粒子３２が移動可能な粒子間隙を十分に確保できない場合があり、大きすぎると基板間隙が大きくなり、高電圧化や表示速度低下が生じることがある。なお、大径着色粒子３４の体積平均粒径が１０μｍ程度の場合、体積平均粒径数十ｎｍの移動粒子３２は大径着色粒子３４同士の間隙を通じて良好に移動可能である。
【００４０】
大径着色粒子３４は、例えば、酸化チタンや酸化ケイ素、酸化亜鉛などの白色顔料を、ポリスチレンやポリエチレン、ポリプロピレン、ポリカーボネート、ＰＭＭＡ、アクリル樹脂、フェノール樹脂、ホルムアルデヒド縮合物などに分散した粒子が使用できる。また、大径着色粒子３４の色としては、例えば、所望の色の顔料、あるいは染料を内含した樹脂粒子を使用することができる。顔料や染料は、例えば、印刷インキやカラートナーに使用されている一般的な顔料あるいは染料を使用できる。
【００４１】
なお、大径着色粒子３４を基板間へ封入するには、例えば、電子写真法やトナージェット法などにより行う。また、大径着色粒子３４を固定化する場合、例えば、大径着色粒子３４を封入した後、加熱（および必要があれば加圧）して、大径着色粒子３４の粒子群表層を溶かすことで、粒子間隙を維持させつつ行うことができる。あるいは樹脂などの結着材を溶解した溶液を塗布したあと溶媒を乾燥することで、粒子間隙を維持させつつ大径着色粒子３４を固定することができる。
【００４２】
また、画像表示媒体１２を構成する各部材の詳細は、例えば特開２００１−３１２２５号公報に記載されたものを用いることができる。
【００４３】
また、移動粒子３２は、基板間への電圧の印加を停止した後も、ファンデルワールス力や鏡像力等によって、電圧が印加された時の状態が維持される。
【００４４】
続いて、上述のように構成された本発明の第１実施形態に係わる画像表示装置１０の表示駆動制御の一例を説明する。なお、以下では、説明を簡単にするために、表示基板１８側の透明電極１６をグランド（０Ｖ）とし、背面基板２８側の電極２２に電圧を印加するものとして説明する。また、２種類の移動粒子３２の帯電特性が、黒色粒子３２Ｋが負に帯電され、黄色粒子３２Ｙが正に帯電され、正または負の所定電圧を基板間に印加することによって移動粒子３２が基板間を移動するものとして説明する。
【００４５】
本実施形態では、制御部４２の制御により電圧印加部４０が透明電極１６と電極２２間に正の所定電圧を印加することにより、負に帯電した黒色粒子３２Ｋが背面基板２８側に移動し、正に帯電した黄色粒子３２Ｙが表示基板１８側に移動して、図１に示す状態となる。従って表示基板１８側から黄色粒子３２Ｙを観察することができ、黄色が表示される。
【００４６】
この時、移動粒子３２だけで表示する画像表示媒体では、色材料が不十分となり反射率が低下して色表現が不十分な場合があり、これを改善しようとして移動粒子３２を増加すると、分散液２４中の移動粒子３２濃度が高くなり、粒子の凝集や沈殿等が発生し易くなり、一方、大径着色粒子３４だけで色表示する画像表示媒体では、移動粒子３２が通過する孔が必要となるため、当該孔によって反射率が低下し、発色低下が発生するが、本実施形態では、黄色粒子３２Ｙと同色の大径着色粒子３４によって発色が補助されるので、発色が改善される。
【００４７】
一方、制御部４２の制御により電圧印加部４０が透明電極１６と電極２２間に負の所定電圧を印加することにより、正に帯電した黄色粒子が背面基板２８側に移動し、負に帯電した黒色粒子３２Ｋが表示基板１８側に移動して、図２に示す状態となる。従って表示基板１８側から黒色粒子３２Ｋを観察することができ、黒色が表示される。
（第２実施形態）
続いて、本発明の第２実施形態に係わる画像表示装置について説明する。図３は、本発明の第２実施形態に係わる画像表示装置を示す概略構成図である。
【００４８】
第１実施形態では、２種類の移動粒子３２が黒色粒子３２Ｋと黄色粒子３２Ｙとし、大径着色粒子３４が黄色に着色された場合を説明したが、第２実施形態では、２種類の移動粒子３２が黒色粒子３２Ｋと白色粒子３２Ｗとし、大径着色粒子３４が２種類の移動粒子３２の一方の白色粒子と同色の白色に着色されており、基本的な構成は上記の第１実施形態と同一であるため、詳細な説明を省略する。すなわち、本実施形態では、第１実施形態の黄色粒子３２Ｙに代えて白色粒子３２Ｗを用いて、特に重要となる白色度を向上するようにしている。なお、大径着色粒子３４は、第１実施形態と着色された色が異なるが、同一符号を付して説明する。
【００４９】
第２実施形態では、制御部４２の制御により電圧印加部４０が透明電極１６と電極２２間に正の所定電圧を印加することにより、負に帯電した黒色粒子３２Ｋが背面基板２８側に移動し、正に帯電した白色粒子３２Ｙが表示基板１８側に移動して、図３に示した状態となり、白色が表示される。また、制御部４２の制御により電圧印加部４０が透明電極１６と電極２２間に負の所定電圧を印加することにより、正に帯電した白色粒子が背面基板２８側に移動し、負に帯電した黒色粒子３２Ｋが表示基板１８側に移動して、図４に示した状態となり、黒色が表示される。
【００５０】
ここで、従来の画像表示媒体と白色度の比較を行った結果について説明する。
【００５１】
比較対象の第１従来例は、図５（Ａ）に示すように、本実施形態に対して大径着色粒子がない、一般的な電気泳動を利用した画像表示媒体である。第１従来例では、白色粒子３２Ｗは透明樹脂（ＰＭＭＡ）に白色顔料（酸化チタン）を４０％含有し、粒子径が約１〜２μｍである。なお、図５中の符号は、第１実施形態と同一部分について同一符号を記した。
【００５２】
比較対象の第２従来例は、図５（Ｂ）に示すように、黒色粒子３２Ｋを基板と水平方向に移動させることによって、背面基板２８上に設けた白色反射層２１によって白色を表示する画像表示媒体である。第２従来例では、透明電極１６と電極２２Ａ間で電圧を印加する場合と、透明電極１６と電極２２Ｂ間に電圧を印加する場合とで、白色表示と黒色表示を行う。
【００５３】
また、比較対象の第３従来例は、図５（Ｃ）に示すにように、大径着色粒子３４によって白色を表示し、大径着色粒子間を黒色粒子３２Ｋが表示基板１８側に移動して黒色を表示する画像表示媒体である。なお、大径着色粒子３４は透明樹脂（ＰＭＭＡ）に白色顔料（酸化チタン）を４０％含有し、粒子径が約φ３０μｍである。
【００５４】
これに対して本実施形態の白色粒子３２Ｗ及び大径着色粒子３４は、透明樹脂（ＰＭＭＡ）に白色顔料（酸化チタン）を４０％含有し、粒子径が約１μｍ、大径着色粒子３４がφ１０μ〜３０μｍとした。
【００５５】
それぞれについて白色度を測定した結果、第１従来例では、白色度が４０％程度となり、第２従来例では、白色度が５０％となり、第３従来例では、白色度が５０〜５５％程度であった。白色度は、反射濃度計（Ｘ−ＲＩＴＥ社製Ｘ−ＲＩＴＥ４０４）で反射濃度Ｄを測定し、反射濃度Ｄと反射率Ｒの関係式Ｄ＝−ｌｏｇ１０Ｒに基づいて換算し（Ｒ＝１０−Ｄ）白色度（白色反射率）とした。
【００５６】
これに対して本実施形態の白色度は、６０〜７０％となり、各従来例よりも白色度が向上される。
（第３実施形態）
続いて、本発明の第３実施形態に係わる画像表示装置について説明する。第１実施形態及び第２実施形態では、大径着色粒子３４は、特に帯電特性はないものとして説明したが、本実施形態では、大径着色粒子が帯電特性を有する。なお、基本的な構成は上記の第２実施形態と同一であるため、詳細な説明を省略する。
【００５７】
図６は、本発明の第３実施形態に係わる画像表示装置を示す概略構成図である。
【００５８】
本実施形態では、白色に着色された大径着色粒子３４が、該大径着色粒子３４と同じ色の移動粒子３２と逆極性の帯電特性、または大径着色粒子３４と異なる色の移動粒子３２と同極性の帯電特性に帯電している。
【００５９】
例えば、白色粒子３２Ｗが正の帯電特性を有し、これと同色の大径着色粒子３４が白色粒子３２Ｗと逆極性の負の帯電特性を有するようにしてもよいし、黒色粒子３２Ｋが負の帯電特性を有し、大径着色粒子３４が黒色粒子３２Ｋと同極性の負に帯電していてもよい。なお、図６では、大径着色粒子３４が負に帯電している状態を示す。
【００６０】
本実施形態の表示駆動制御は、第１実施形態と同様に、正または負の所定電圧を印加することで白色または黒色表示が行われる。
【００６１】
大径着色粒子３４と同色すなわち、白色粒子３２Ｗと大径着色粒子３４が逆極性の場合には、大径着色粒子３４との静電的な吸引力により、基板面から剥離した白色粒子３２Ｗが近接する同色の白色に着色された大径着色粒子３４表面に保持され、画像保持性が向上される。
【００６２】
一方、大径着色粒子３４と異なる色すなわち、黒色粒子３２Ｋと大径着色粒子３４が同極性の場合には、静電的な反発力によって、大径着色粒子３４表面への色の異なる黒色粒子３２Ｋの付着が防止される。また、大径着色粒子３４表面との静電的な反発力によって大径着色粒子３４と同極性の黒色粒子３２Ｋには、基板面へ押さえつけられる力が働き、画像保持性が向上される。
（第４実施形態）
続いて、本発明の第４実施形態に係わる画像表示装置について説明する。図７は、本発明の第４実施形態に係わる画像表示装置を示す概略構成図である。
【００６３】
上記の実施形態では、表示基板１８と背面基板２８間に２種類の移動粒子３２を封入した例を説明したが、第４実施形態では、３種類の移動粒子３２を基板間に封入した場合を説明する。
【００６４】
本実施形態では、第２実施形態に対して、赤色粒子３２Ｒが移動粒子３２として表示基板１８と背面基板２８間に更に封入されている。すなわち、移動粒子３２として黒色粒子３２Ｋ、白色粒子３２Ｗ、及び赤色粒子３２Ｒが基板間に封入されると共に、白色に着色された大径着色粒子３４が基板間に封入されている。
【００６５】
また、本実施形態では、図８に示すように、各移動粒子３２を移動させるために必要な印加電圧（絶対値）がそれぞれ異なる。なお、３種類の移動粒子３２が移動するために必要な印加電圧は、例えば帯電量や粒子径、また粒子表面の形状や材質等によって制御することができる。
【００６６】
本実施形態では、３種類の移動粒子３２が同極性の正に帯電され、白色粒子３２Ｗが移動するために必要な印加電圧をＶ１（−Ｖ１’）、黒色粒子３２Ｋが移動するために必要な印加電圧をＶ２（−Ｖ２’）とし赤色粒子３２Ｒが移動するために必要な印加電圧をＶ３（−Ｖ３’）とし、Ｖ１＜Ｖ２＜Ｖ３（−Ｖ１’＞−Ｖ２’＞−Ｖ３’）とした。なお、各粒子を移動させるための印加電圧はこの順番の組み合わせに限定されるものではない。
【００６７】
ここで、例えば白色粒子が移動する電圧をＶ１と−Ｖ１’としたのは、表示基板１８と背面基板２８の材質の差や、基板上での粒子の配置状態などの影響で、基板間に正電圧を印加した場合と負電圧を印加した場合で赤色粒子３２Ｒが移動する電圧が必ずしも同じ電圧にならないためであり、こういったばらつきを含めて、図８に示したような粒子の移動特性（表示特性）が成り立つように設定している。
【００６８】
続いて、上述のように構成された本発明の第４実施形態に係わる画像表示装置の表示駆動制御の一例を説明する。なお、以下では、説明を簡単にするために、表示基板１８側の透明電極１６をグランド（０Ｖ）とし、背面基板２８側の電極２２に電圧を印加するものとして説明する。また、３種類の移動粒子３２の帯電特性が共に正である。
【００６９】
まず、白色表示させたい場合には、制御部４２の制御により電圧印加部４０が透明電極１６と電極２２間に印加電圧−Ｖ３’を印加すると、全ての移動粒子３２が背面基板２８側に移動する。これによって、表示基板１８側から大径着色粒子３４を観察することができ、大径着色粒子３４の白色が表示される。そして、この状態で、制御部４２の制御により電圧印加部４０が透明電極１６と電極２２間に印加電圧Ｖ１を印加すると、図７に示すように、白色粒子３２Ｗだけが表示基板１８が側に移動され、これによって、大径着色粒子３４の白色だけではなく、白色粒子３２Ｗの白色が表示基板１８側から観察することができるため、白色度が向上される。
【００７０】
また、黒色を表示させたい場合には、制御部４２の制御により電圧印加部４０が透明電極１６と電極２２間に印加電圧−Ｖ３’を印加して、全ての移動粒子３２を背面基板２８側へ移動させた後に、制御部４２の制御により電圧印加部４０が透明電極１６と電極２２間に印加電圧Ｖ２を印加することによって、白色粒子３２Ｗと黒色粒子３２Ｋだけが表示基板１８側に移動され、更に、制御部４２の制御により電圧印加部４０が透明電極１６と電極２２間に印加電圧−Ｖ１’を印加することによって、白色粒子３２Ｗだけが背面基板２８側へ移動される。これによって黒色が表示される。
【００７１】
また、赤色を表示させたい場合には、制御部４２の制御により電圧印加部４０が透明電極１６と電極２２間に印加電圧−Ｖ３を印加して、全ての移動粒子３２を表示基板１８側へ移動させた後に、制御部４２の制御により電圧印加部４０が透明電極１６と電極２２間に印加電圧−Ｖ２’を印加することによって、黒色粒子３２Ｋ及び白色粒子３２Ｗが背面基板２８側へ移動され、これによって赤色が表示される。
【００７２】
例えば、制御部４２が、図９に示すように、画像記憶部４４に記憶された表示用画像に基づいて、白色を表示するか否かを判定して（１００）、白色を表示する場合に、印加電圧−Ｖ３’を基板間に印加した後に（１０２）、印加電圧Ｖ１を基板間に印加する（１０４）。また、黒色表示するか否かを判定して（１０６）、黒色表示する場合に、印加電圧−Ｖ３’を基板間に印加した後に（１０８）、印加電圧Ｖ２を基板間に印加し（１１０）、更に印加電圧−Ｖ１’を基板間に印加する（１１１）。そして、赤色の場合には、印加電圧Ｖ３を基板間に印加した後に（１１２）、印加電圧−Ｖ２’を基板間に印加する（１１４）。これによって、上述したように各色移動粒子３２が移動されて、各色が表示される。
【００７３】
なお、上記の各実施形態では、大径着色粒子３４が３層とされているものを各図に示したが、これに限るものではなく、例えば、図１０に示すように、大径着色粒子３４を単層としてもよい。
【００７４】
また、上記の各実施形態では、複数種類の移動粒子３２のうちの何れかと同色の大径着色粒子３４を基板間に封入するようにしたが、これに限るものではなく、例えば、図１１（Ａ）に示すように、移動粒子３２が移動可能な貫通孔を有する多孔質体４６を大径着色粒子３４の代わりに基板間に設けるようにしてもよい。この場合には、複数種類の移動粒子３２のうちの何れかの移動粒子３２と同色に多孔質体４６を着色し、多孔質体４６の各孔に分散液２４を満たす。
【００７５】
また、上記の各実施形態では、従来の画像表示媒体よりも明るい色表示となるので、カラーフィルタと組み合わせるようにしてもよい。すなわち、カラーフィルタを表示基板１８の表示側面、あるいは表示基板１８の背面基板２８側の面等に設けるようにしてもよい。例えば、図１１（Ｂ）には、カラーフィルタ４８を表示基板１８の表示側に設けた例を示す。
【００７６】
更に、上記の第４実施形態及び第５実施形態においては、複数の移動粒子３２として、黄色（Ｙ）、マゼンタ色（Ｍ）、シアン色（Ｃ）に着色された移動粒子３２を含むようにして、各色を含むセルを並置して１画素とすることでカラー表示が可能となる。例えば、第４実施形態及び第５実施形態において、図１２に示すように、赤色粒子３２Ｒの代わりに黄色に着色された移動粒子３２Ｙを含むセル５０Ｙと、赤色粒子３２Ｒの代わりにマゼンタ色に着色された移動粒子３２Ｍを含むセル５０Ｍと、赤色粒子３２Ｒの代わりにシアン色に着色された移動粒子３２Ｃを含むセル５０Ｃと、を並置して１画素とすることで、従来よりも明度の高いカラー画像を表示することが可能となると共に、従来よりも明度の高い白黒画像を表示することが可能となる。或いは、赤色（Ｒ）、緑色（Ｇ）、青色（Ｂ）に着色された移動粒子３２を含むようにして、各色を含むセルを並置してカラー表示するようにしてもよい。
【図面の簡単な説明】
【００７７】
【図１】本発明の第１実施形態に係わる画像表示装置を示す概略構成図であり、かつ黄色表示している状態を示す図である。
【図２】本発明の第１実施形態に係わる画像表示装置を示す概略構成図であり、かつ黒色表示している状態を示す図である。
【図３】本発明の第２実施形態に係わる画像表示装置を示す概略構成図であり、かつ白色表示している状態を示す図である。
【図４】本発明の第２実施形態に係わる画像表示装置を示す概略構成図であり、かつ黒色表示している状態を示す図である。
【図５】従来の画像表示媒体の一例を示す構成図である。
【図６】本発明の第３実施形態に係わる画像表示装置を示す概略構成図である。
【図７】本発明の第４実施形態に係わる画像表示装置を示す概略構成図である。
【図８】本発明の第４実施形態に係わる画像表示装置において、各色の移動粒子を移動させるために必要な印加電圧を説明するための図である。
【図９】本発明の第４実施形態に係わる画像表示装置の表示駆動制御の流れの一例を示すフローチャートである。
【図１０】大径着色粒子を単層とした変形例を示す図である。
【図１１】（Ａ）は大径着色粒子の代わりに着色された多孔質体を用いた変形例を示す図であり、（Ｂ）はカラーフィルタを備えた変形例を示す図である。
【図１２】カラー表示する場合の一例を示す図である。
【符号の説明】
【００７８】
１０    画像表示装置
１２    画像表示媒体
１４、２６    支持基板
１６    透明電極
１７、２０    表面層
１８    表示基板
２２    電極
２８    背面基板
２４    分散液
３２    移動粒子
３２Ｙ    黄色粒子
３２Ｋ    黒色粒子
３２Ｗ    白色粒子
３２Ｒ    赤色粒子
３４    大径着色粒子
４０    電圧印加部
４２    制御部
４６    多孔質体
４８    カラーフィルタ
【図１】
2008089971.tif 000003
【図２】
2008089971.tif 000004
【図３】
2008089971.tif 000005
【図４】
2008089971.tif 000006
【図５】
2008089971.tif 000007
【図６】
2008089971.tif 000008
【図７】
2008089971.tif 000009
【図８】
2008089971.tif 000010
【図９】
2008089971.tif 000011
【図１０】
2008089971.tif 000012
【図１１】
2008089971.tif 000013
【図１２】
2008089971.tif 000014